(57)【要約】      （修正有）【課題】極低温流体の供給源を内蔵する大容量タンクを含む、極低温流体を分配するためのシステムを提供する。【解決手段】加熱回路３０が、中間タンク３２および加熱デバイス３４を含み、大容量タンク１０と流体連通している入口、および出口を有する。大容量タンクと加熱回路の入口との間に、バイパス接合部２６が位置決めされ、バイパス回路が、バイパス接合部と流体連通している入口、および出口を有する。大容量タンクからの極低温流体の一部が加熱回路を流れて暖められ、一部がバイパス回路を流れ、混合接合部３６にて混合されるように、バイパス回路の出口および加熱回路の出口と流体連通しており、それにより極低温流体が調整される。分配ライン４６が混合接合部と流体連通しており、調整された極低温流体を分配する。分配後に加熱回路内に残留した暖められた極低温流体が、中間タンクに向けられて、加熱回路を通る極低温流体を暖めるために使用される。【選択図】図１
2014109384.tif 000002
【特許請求の範囲】
【請求項１】
極低温流体を分配するためのシステムであって、
ａ）  極低温液体の供給源を内蔵するように構成された大容量タンクと、
ｂ）  中間タンクおよび加熱デバイスを含む加熱回路であって、前記大容量タンクと流体連通している入口、および出口を有する、加熱回路と、
ｃ）  前記大容量タンクと前記加熱回路の前記入口との間に位置決めされ、かつそれらと流体連通している、バイパス接合部と、
ｄ）  前記バイパス接合部と流体連通している入口、および出口を有する、バイパス回路と、
ｅ）  前記バイパス回路の前記出口および前記加熱回路の前記出口と流体連通している、混合接合部と、
ｆ）  前記混合接合部と流体連通している、分配ラインと
を備えるシステム。
【請求項２】
前記バイパス回路がバイパス導管を含む、請求項１に記載のシステム。
【請求項３】
前記大容量タンクと流体連通している入口と、前記バイパス接合部と流体連通している出口とを有するポンプをさらに備える、請求項１に記載のシステム。
【請求項４】
前記中間タンクが、断熱され、かつアレージタンクを内蔵する、請求項１に記載のシステム。
【請求項５】
前記混合接合部から流出する極低温流体と連通している温度センサをさらに備え、また、前記加熱回路が、前記温度センサによって制御される混合弁を含む、請求項１に記載のシステム。
【請求項６】
前記バイパス回路内に位置決めされたバイパス弁をさらに備え、また、前記バイパス弁が、前記温度センサによって制御される、請求項５に記載のシステム。
【請求項７】
前記混合接合部から流出する極低温流体と連通している温度センサをさらに備え、また、前記混合接合部が、三方混合弁を含む、請求項１に記載のシステム。
【請求項８】
前記加熱回路の前記加熱デバイスが、入口および出口を有する熱交換器を含み、前記熱交換器の前記入口が、前記中間タンクの出口と流体連通しており、前記熱交換器の前記出口が、前記混合接合部と流体連通している、請求項１に記載のシステム。
【請求項９】
前記極低温流体が極低温液体であり、また、前記熱交換器が、前記熱交換器に流入するすべての極低温液体を気化させるように構成された周囲熱交換器であり、それにより、極低温蒸気が前記混合接合部に向けられる、請求項８に記載のシステム。
【請求項１０】
前記混合接合部から流出する極低温液体と連通している温度センサと、前記温度センサによって制御される混合弁とをさらに備え、前記熱交換器の出口と前記混合接合部との間に前記混合弁が位置決めされた、請求項８に記載のシステム。
【請求項１１】
前記加熱回路の前記加熱デバイスが、前記中間タンク内に位置決めされた加熱器を含む、請求項１に記載のシステム。
【請求項１２】
前記加熱器が電気式加熱器である、請求項１１に記載のシステム。
【請求項１３】
前記極低温流体が液化天然ガスである、請求項１に記載のシステム。
【請求項１４】
低温流体を分配するためのシステムであって、
ａ）  極低温流体の供給源を内蔵する大容量タンクと、
ｂ）  中間タンクおよび加熱デバイスを含む加熱回路であって、前記大容量タンクと流体連通している入口、および出口を有する、加熱回路と、
ｃ）  前記大容量タンクと前記加熱回路の前記入口との間に位置決めされ、かつそれらと流体連通している、バイパス接合部と、
ｄ）バイパス回路であって、前記大容量タンクからの極低温流体の一部が前記加熱回路を流れて暖められ、また、前記大容量タンクからの極低温流体の一部が前記バイパス回路を流れるように、前記バイパス接合部と流体連通している入口、および出口を有する、バイパス回路と、
ｅ）  前記加熱回路からの暖められた極低温流体と前記バイパス回路からの極低温流体とが混合されるように、前記バイパス回路の前記出口および前記加熱回路の前記出口と流体連通しており、それにより前記バイパス回路からの前記極低温流体が調整される、混合接合部と、
ｆ）  前記調整された極低温流体を分配することができるように、前記混合接合部と流体連通している、分配ラインとを備え、
分配後に前記加熱回路内に残留した暖められた極低温流体が、前記中間タンクに向けられて、前記加熱回路を通るように向けられた極低温流体を暖めるために使用される、システム。
【請求項１５】
前記極低温流体が極低温液体であり、前記加熱デバイスが周囲熱交換器であって、前記熱交換器を通るように向けられた極低温液体が気化されて、それにより、前記バイパス回路を通るように向けられた前記極低温液体が、前記混合接合部において極低温蒸気と調整される、請求項１４に記載のシステム。
【請求項１６】
前記極低温液体が液化天然ガスであり、前記極低温蒸気が天然ガス蒸気である、請求項１５に記載のシステム。
【請求項１７】
前記混合接合部から流出する極低温液体と連通している温度センサと、前記温度センサによって制御される、前記加熱回路と流体連通している混合弁とをさらに備える、請求項１４に記載のシステム。
【請求項１８】
極低温流体を分配する方法であって、
ａ）  前記極低温流体の供給源、中間タンクおよび加熱デバイスを有する加熱回路、ならびに前記加熱回路と並列なバイパス回路を設けるステップと、
ｂ）  前記供給源からの極低温流体の一部を、前記熱回路を通るように向けるステップと、
ｃ）  前記加熱デバイスを使用して、前記加熱回路を通るように向けられた前記極低温流体を暖めるステップと、
ｄ）  前記供給源からの極低温流体の一部を、前記バイパス回路を通るように向けるステップと、
ｅ）  前記加熱回路からの前記暖められた極低温流体と前記バイパス回路からの前記極低温流体とを混合して、前記極低温流体を調整するステップと、
ｆ）  前記調整された極低温流体を分配するステップと、
ｇ）  分配後に前記加熱回路内に残留した暖められた極低温流体を、前記中間タンクに向けるステップと、
ｈ）  ステップｇ）の前記中間タンク内の前記暖められた極低温流体を使用して、ステップｃ）中に前記加熱回路を通るように向けられた前記極低温流体を暖めるステップと
を含む、方法。
【請求項１９】
前記極低温流体が液化天然ガスである、請求項１８に記載の方法。
【請求項２０】
前記加熱デバイスが、前記加熱回路に向けられた前記液化天然ガスを気化させ、それにより、ステップｅ）において、天然ガス蒸気が、前記バイパス回路からの前記液化天然ガスと混合する、請求項１９に記載の方法。
【発明の詳細な説明】
【技術分野】
【０００１】
優先権の主張
[0001]本出願は、２０１２年１１月３０日に出願された米国仮特許出願第６１／７３１，９８１号の優先権を主張し、その内容は参照により本明細書に組み込まれる。
【０００２】
[0002]本発明は一般に、極低温液体のための分配システムに関し、詳細には、極低温液体分配システムのための熱管理システムおよび方法に関する。
【背景技術】
【０００３】
[0003]車両などを駆動させるための代替的なエネルギー源として液化天然ガス（ＬＮＧ）を使用することは、（石油と比較して）ＬＮＧが国内で入手可能であり、環境的に安全であり、および豊富であるため、ますます一般的になってきている。ＬＮＧを動力源とした車両などの使用デバイスは、通常、車両のエンジンが要求するのに適した圧力水頭で、飽和状態のＬＮＧを車載燃料タンクに貯蔵することを必要とする。
【０００４】
[0004]ＬＮＧは、通常、加圧移送により、大容量貯蔵タンクから車両タンクへ分配される。分配の前に大容量タンク内のＬＮＧを飽和状態にする分配システムが知られているが、そのようなシステムは、飽和ＬＮＧの連続的な分配が不可能であるという欠点に悩まされる。より具体的には、飽和ＬＮＧの分配は、大容量タンクの補給中、または新たに追加されたＬＮＧの調整中には、不可能である。
【０００５】
[0005]車両タンクへの送り出しの前にＬＮＧを飽和状態にするための別の手法は、ＬＮＧが車両タンクに送られるときにそのＬＮＧを暖めることである。そのような手法は、当技術分野において「サチュレーション・オン・ザ・フライ」として知られている。そのような「サチュレーション・オン・ザ・フライ」システムの実例は、Ｆｏｒｇａｓｈらへの米国特許第５，６８７，７７６号、およびＫｏｏｙらへの米国特許第５，７７１，９４６号で提示されており、それらの内容は参照として本明細書に組み込まれる。
【０００６】
[0006]特許’７７６号および’９４６号はどちらも、大容量タンク、およびＬＮＧを大容量タンクから熱交換器へ圧送するポンプを開示している。バイパス導管が、熱交換器と平行に位置決めされる。混合弁により、ＬＮＧの一部が、ポンプから熱交換器を迂回して流れ、熱交換器から出てくる暖められた天然ガスと所望の割合で混合して、ＬＮＧに対する所望の分配温度を得ることが可能になる。特許’７７６号および’９４６号はまた、どちらも、混合弁と車両燃料タンクへの分配ラインとの間の回路内に中間分配タンクを位置決めすることを開示している。これにより、暖かい流体が大容量タンク内の冷たいＬＮＧと混合するのを回避するために、車両燃料タンクからの高圧流体は中間分配タンクに戻されるので、車両燃料タンク内の圧力を軽減することが可能になる。
【０００７】
[0007]特許’７７６号および’９４６号の真空断熱中間分配容器は、配管からの熱を蓄えて、その熱が主貯蔵タンクに戻るのを回避するのに有用であるが、そのシステムは最善ではない。より具体的には、熱交換器を中間タンクの後に移動させることにより、混合弁への加熱された物質の瞬間的な流れが確保される一方で、システム内のガスの実容量が減少する。ガスは圧縮することができるが、液体はほとんど圧縮することができない。したがって、ポンプから車両タンクへの液体の流れ中にあるガスの容量が大きいと、車両タンクへの正味流量が減少して、タンク内の噴射作用が損なわれ、充填不足の可能性が生じる。特許’７７６号および’９４６号に示されているような、熱交換器の後の分配タンクは、最終的には十分に液体で満たすことができるが、分配タンクを使用している間のある程度の期間に、分配タンク内にガスを取り込むことになる。混合弁を通るガスの流れは、適切な制御を可能にすることができるが、空の容器は、車両タンクへの送り出しに関する水力学に問題をもたらす。
【０００８】
[0008]さらに、サチュレーション・オン・ザ・フライ・システムは、主貯蔵タンクへのかなりの量の不要な熱の戻りを生じる可能性がある。このことはさらに、天然ガスの放出をもたらす可能性があり、これは望ましいことではない。貯蔵タンクよりも高い飽和度の配管内に残留した液体は、勢いよく流れてその熱を貯蔵タンクに送り返すことになる。熱い配管を断熱することは役に立つことであるが、捕捉された熱は適切に蓄積されなければならない。
【先行技術文献】
【特許文献】
【０００９】
【特許文献１】米国特許第５，６８７，７７６号
【特許文献２】米国特許第５，７７１，９４６号
【特許文献３】米国特許第５，４０４，９１８号
【特許文献４】米国特許第６，１２８，９０８号
【発明の概要】
【発明が解決しようとする課題】
【００１０】
[0009]上記の問題に対処する極低温液体を分配するためのシステムおよび方法が求められている。
【図面の簡単な説明】
【００１１】
【図１】[0010]本発明のシステムの第１の実施形態の概略図である。
【図２】[0011]本発明のシステムの第２の実施形態の概略図である。
【図３】[0012]図３Ａは、図１のシステムの中間タンクまたはキャパシタの任意的な実施形態の詳細を示す概略図である。図３Ｂは、図１のシステムの中間タンクまたはキャパシタの任意的な実施形態の詳細を示す概略図である。図３Ｃは、図１のシステムの中間タンクまたはキャパシタの任意的な実施形態の詳細を示す概略図である。
【発明を実施するための形態】
【００１２】
[0013]ＬＮＧを分配するためのシステムおよび方法に関して、本発明を以下に説明するが、これらのシステムおよび方法は別の種類の極低温の液体または流体を分配するために使用することができることを、理解されたい。
【００１３】
[0014]図１に示されるように、大容量タンク１０が、ＬＮＧ１１の供給源を内蔵する。システムは、１２ａおよび１２ｂで全体がそれぞれ示された、第１および第２の調整／分配岐路を含む。岐路１２ａに関してシステムを説明するが、岐路１２ｂが同じように動作することを理解されたい。大容量タンク１０からのＬＮＧは、ライン１８を介して、ポンプ１６を内蔵するサンプ１４へ進む。大容量タンクおよびサンプは、どちらも断熱されていることが好ましい。サンプ１４はＬＮＧ２２を収容し、ＬＮＧ２２は、ポンプ１６によりライン２４を経てバイパス接合部２６へ圧送される。
【００１４】
[0015]全体が３０で示された加熱回路が、中間タンク３２および熱交換器３４を含む。より具体的には、好ましくは断熱された中間タンクまたはキャパシタ（以下で説明する）３２の入口が、バイパス接合部２６と連通する。中間タンク３２の出口は、ライン３３を介して熱交換器３４の入口と連通する。熱交換器３４は、周囲熱交換器、または当技術分野で知られた極低温液体を加熱するための任意の他のデバイスとすることができる。熱交換器３４の出口は、混合弁４０を経て混合接合部３６と連通する。バイパス回路が、接合部２６と連通する入口および接合部３６と連通する出口を有する、導管４２を含む。バイパス導管４２はまた、バイパス弁４４を備える。混合弁４０およびバイパス弁４４は、例えば二方弁とすることができる。図３Ａ〜図３Ｃの三方弁１１０のような、混合接合部に位置決めされた単一の三方弁を、混合弁４０とバイパス弁４４の代わりに使用することができる。分配ライン４６が、混合接合部３６から分配機５０に通じる。
【００１５】
[0016]中間タンク３２は、好ましくはアレージタンクを備え、また、好ましくは同一出願人による米国特許第５，４０４，９１８号または第６，１２８，９０８号に示された構成のものである。これらの特許はどちらもＧｕｓｔａｆｓｏｎに対するものであって、その両方の内容は参照により本明細書に組み込まれる。
【００１６】
[0017]動作中、ＬＮＧは、圧力を高められて接合部２６へ圧送され、一部は中間タンク３２へ進み、残りの部分はバイパス導管４２を通過する。中間タンク３２は、アレージタンクに許容された水準まで充填される。中間タンク３２からのＬＮＧは、中間タンクの充填中か、あるいはアレージタンクに許容された水準に中間タンクが達してから、熱交換器３４へ流れる。熱交換器へ移動するＬＮＧは、その中で暖められ、その結果得られる液体または蒸気は、混合接合部３６へ流れて、バイパス導管４２を経由して混合接合部へ流れる冷たいＬＮＧと混合する。混合弁４０およびバイパス弁４４は、自動化され、また、プロセッサまたは他の制御デバイスを含むことができる温度センサ５２によって制御され、そのため、接合部３６において冷たいＬＮＧに熱量が加わることにより、飽和されたまたは過冷却されたＬＮＧが、分配ライン４６を経て分配機５０へ流れることになる。
【００１７】
[0018]図３Ａおよび図３Ｃに示されるように、熱交換器３４は、中間タンク３２から熱交換器３４に流れるＬＮＧのすべてを気化させるように設計されかつ定寸されることが好ましい。その結果、暖かい天然ガス蒸気が混合接合部に流れて、導管４２からの冷たいＬＮＧと混合する。加えられる熱量は、通常、流量を安定させかつ高水準にするのならば、変更されなければならない。液体で満たされた周囲熱交換器を使用するシステムは、比較的一定の発熱率を有する。発熱率が一定であること、および全質量流量が一定であることは、熱交換器を通るように向きを変えられる流れの割合に関係なく、得られる単位質量当たり熱量（したがって、飽和圧力）は不変であるということを意味する。そのような場合、流体を加熱する唯一の方法は、全質量流速を遅くすることである。このことは、流速があまりにも低下した場合に、効果的な噴射充填に問題をもたらす可能性がある。図１および図３Ａ〜図３Ｃの実施形態は、液体を（蓄熱器または中間タンク３２を経由して）流れさせて、意図的にその液体を気化させる（熱交換器３４は気化を行うのに十分な大きさである）。熱交換器をそのように構成することにより、熱交換器のある経路を通るように向きを変えられた流量が、次いで極低温になっている中へと進むので、熱量を変化させることができる。次いで、混合接合部３６において、冷たいＬＮＧと比較的（周囲温度に近づく可能性がある）暖かい天然ガス蒸気とが混合する。最終的に得られるものは、暖まった液体である。
【００１８】
[0019]分配の後、中間タンク出口と熱交換器３４の入口との間に延びるライン３３内の暖かいＬＮＧ、および、熱交換器３４の出口と混合弁４０との間に延びるライン内の暖かいＬＮＧは、次回の分配サイクルまたは運転の際に熱交換器に先立ってＬＮＧを予熱するのに使用するために、中間タンク３２に戻る。その結果、中間タンクは、蓄熱器または熱キャパシタとして働く。次回の分配運転の際、ＬＮＧは、接合部２６で向きを変えられ、中間タンク３２（蓄積された熱をＬＮＧに与える）および熱交換器３４（さらに熱を与える）の両方を通る。その結果、中間タンクが加熱負担量（ｈｅａｔｉｎｇ  ｂｕｒｄｅｎ）の一部を共有するので、より小型の熱交換器を使用することができる。
【００１９】
[0020]さらに、分配の後、ライン４６内の暖かいＬＮＧは、沸騰し、分配機５０から大容量タンク１０の底部へ延びる通気ラインを介して、大容量タンクに戻る。それでもなお、中間タンク３２と混合弁４０との間の加熱されたＬＮＧを中間タンクに戻すことにより、大容量タンクを加熱するために戻る蒸気の量は、減少する。
【００２０】
[0021]中間タンク３２をポンプ１６の吐出量とタンクの後の熱交換器３４とに対して適切に定寸することにより、通常動作中に中間タンクを原則的に液体で満たし続ける設計が可能になる。中間タンクはまた、その中に収容された液体の熱質量が熱交換器または気化器から戻る蒸気に対応することができ、それにより次回の飽和要求のための熱を蓄積して、その熱を主貯蔵大容量タンク１０に送り返さないように、定寸される。
【００２１】
[0022]図２に示された本発明のシステムの第２の実施形態では、全体が８１で示された加熱回路の中間タンクまたはキャパシタ８０に、内部電気式加熱器８２が加えられている。それゆえキャパシタの容積は、後の使用のために調整からの熱を蓄える機能を果たすが、制御可能な混合を可能にするのに必要とされる温度および圧力よりも高い温度および圧力でタンクが液体を保持することから、瞬間的な混合を行うための熱質量としての機能をも果たす。加熱器８２は、中間貯蔵タンクに組み込まれ、中間貯蔵タンク８０より前には置かれない。その結果、中間タンクは、ＬＮＧに対して一種の「湯沸器」として働き、また、ＬＮＧが中間タンク内へと向きを変えられたときに高温のＬＮＧが中間タンクから出て行くように、定寸されることを必要とする。当技術分野で知られた電気式加熱器以外の加熱器を、電気式加熱器８２の代用品とすることができる。
【００２２】
[0023]図２のシステムの残りの部分は、図１のシステムと同じ方法で働く。より具体的には、図２に示されるように、大容量タンク６０が、ＬＮＧ６１の供給源を内蔵する。システムは、６２ａおよび６２ｂで全体がそれぞれ示された、第１および第２の調整／分配岐路を含む。岐路６２ａに関してシステムを説明するが、岐路６２ｂが同じように動作することを理解されたい。大容量タンク６０からのＬＮＧは、ライン６８を介して、ポンプ６６を内蔵するサンプ６４へ進む。大容量タンクおよびサンプは、どちらも断熱されていることが好ましい。サンプ６４はＬＮＧ７２を収容し、ＬＮＧ７２は、ポンプ６６によりライン７４を経て接合部７６まで圧送される。好ましくは断熱された中間タンクまたはキャパシタ８０の入口が、接合部７６と連通する。上記のように、中間タンクまたはキャパシタ８０は、電気式加熱器８２を内蔵する。中間タンク８０の出口は、ライン８３を介し混合弁９０を経て混合接合部８６と連通する。バイパス導管９２が、接合部７６と連通する入口、および、接合部８６と連通する出口を有する。バイパス導管９２はまた、バイパス弁９４を備える。混合弁９０およびバイパス弁９４は、例えば二方弁とすることができる。しかし、図３Ａ〜図３Ｃにおいて１１０で示されるような、混合接合部に位置決めされた単一の三方弁を、混合弁９０とバイパス弁９４の代わりに使用することができる。ライン９６が、混合接合部８６から分配機１００に通じる。
【００２３】
[0024]動作中、ＬＮＧは、圧力を高められて接合部７６へ圧送され、一部は中間タンクまたはキャパシタ８０へ進み、残りの部分はバイパス導管９２を通過する。中間タンク８０からのＬＮＧは、中間タンク８０の中で加熱器８２によって暖められてから、混合接合部８６へ流れて、バイパス導管９２を経由して混合接合部へ流れる冷たいＬＮＧと混合する。混合弁９０およびバイパス弁９４は、自動化され、また、プロセッサまたは他の制御デバイスを含むことができる温度センサ１０２によって制御され、そのため、接合部８６において冷たいＬＮＧに熱量が加わることにより、飽和されたまたは過冷却されたＬＮＧが、分配ライン９６を経て分配機１００へ流れることになる。
【００２４】
[0025]分配の後、中間タンク出口と混合弁９０との間に延びるライン８３内の暖かいＬＮＧは、次回の分配サイクルまたは運転の際に加熱器８２を用いてＬＮＧを暖めるのに使用するために、中間タンク８０に戻る。その結果、中間タンク８０は、蓄熱器または熱キャパシタとしても働く。次回の分配運転の際、ＬＮＧは接合部７６で向きを変えられて中間タンク８０を通り、中間タンク８０は、加熱器８２からの熱に加えて、蓄積された熱をＬＮＧに与える。
【００２５】
[0026]さらに、分配の後、ライン９６内の暖かいＬＮＧは、沸騰し、分配機１００から大容量タンク６０の底部へ延びる通気ラインを介して、大容量タンクに戻る。それでもなお、中間タンク８０と混合弁９０との間の加熱されたＬＮＧを中間タンクに戻すことにより、大容量タンクを加熱するために戻る蒸気の量は、減少する。
【００２６】
[0027]図１のシステムと図２のシステムとの選択に関しては、図１のシステムの中間タンク３２のほうが大きく、また、周囲熱交換器３４により霧が発生する場合がある。対照的に、図２の中間タンク８０および加熱器８２は、より高価であるが、霧が発生しない。
【００２７】
[0028]図３Ａ〜図３Ｃを参照すると、中間タンク３２の任意的な実施形態が提示されている。図３Ａに示されるように、中間タンク３２は、アレージスペース１０４を画定するアレージタンクを含む。中間タンクは、ポンプ（図１では１６）から逆止め弁１１６を経て提供されたＬＮＧ１０６の供給源を内蔵する。
【００２８】
[0029]次に説明するように、図３Ａ〜図３Ｃの中間タンクまたはキャパシタ３２は、タンク内での最小限の成層を利用する。図３Ａは、通常の充填または分配の動作を示す。ポンプからの冷たいＬＮＧは、逆止め弁１１６を通って中間タンク３２の底部へと吸入される。ＬＮＧは、開口１１７を通ってタンク３２の底部に入り、開口１１７には、新鮮な液体をタンクの下層部分に保持するための邪魔板１１９が設けられている。逆止め弁１１４ａおよびライン３３を通じた加熱器３４への液体の受け渡しは、中間タンクの上層のより暖かい層からライン１０８を介して行われる。加熱器からの暖かい液体およびガスは、逆止め弁１１４ｂを通して中間タンク内の管１２１の内側の混合領域へと返送される。中間タンクの上層部分に、管を介して、ガスをより良く再凝結させるための小穴とより暖かい液体の出口とを備えたスクリーンを、任意で設けることができる。Ｒ１は、エコノマイザ調整弁である。Ｒ２は、長期の待機後に大容量タンクの底部に戻る過剰な圧力を排出するための、ボイルオフ調整弁である。
【００２９】
[0030]通常の充填または分配の際、入って来るＬＮＧは、蒸気を、タンクの上層部分にあるタンクの液体出口（ライン１０８の入口）を通して、熱交換器３４および混合弁１１０へと押し進めることができ、混合弁１１０は、温度センサ１１２の制御下にある。入って来るＬＮＧ（逆止め弁１１６を通る）は、中間タンクをライン１０８の入口まで液体で満たすことになる。ライン１０８に対する入口の位置はまた、アレージを部分的に画定して、アレージタンクを持たない実施形態を提供することができる。最大液位は、ライン１０８に対する入口と、Ｒ１／Ｒ２に通じるライン１１８に対する入口との間になるはずである。
【００３０】
[0031]図３Ｂは、分配サイクルまたは運転後の動作を示す。より具体的には、図１を参照して上記したように、分配の後、中間タンク出口と熱交換器３４の入口との間に延びるライン３３内の暖かいＬＮＧ、および、熱交換器３４の出口と混合弁１１０との間に延びるライン内の暖かいＬＮＧは、次回の分配サイクルまたは運転の際に熱交換器に先立ってＬＮＧを予熱するのに使用するために、中間タンク３２に戻る。その結果、中間タンクは、蓄熱器または熱キャパシタとして働く。熱交換器からのガスは、中間タンク内のＬＮＧを飽和状態にし、キャパシタ３２内で圧力上昇が起こる。過剰蒸気／液体は、ライン１１８および１２０ならびにボイルオフ調整弁Ｒ２を経て、大容量タンクへ進む。
【００３１】
[0032]図３Ｃは、エコノマイザ調整弁Ｒ１の設定よりも高い圧力での充填または分配を示す。キャパシタ３２からの過剰液体／蒸気は、ライン１１８、エコノマイザ調整弁Ｒ１、およびライン１２２を通過し、そこで、ライン３３を介して熱交換器３４へ移動しているＬＮＧと合流する。圧力降下に起因するキャパシタ内での飽和ＬＮＧのいかなる蒸気も、アレージスペース１０４（図３Ａ）へ移動する。
【００３２】
[0033]本発明の好ましい実施形態について図示しかつ説明してきたが、本発明の精神から逸脱することなく、好ましい実施形態において変更および修正を行うことができ、本発明の範囲が添付の特許請求の範囲によって定義されることが、当業者には理解されよう。
【図３】
2014109384.tif 000003
【図１】
2014109384.tif 000004
【図２】
2014109384.tif 000005
【手続補正書】
【提出日】平成26年3月6日(2014.3.6)
【手続補正１】
【補正対象書類名】図面
【補正対象項目名】全図
【補正方法】変更
【補正の内容】
【図１】
2014109384.tif 000006
【図２】
2014109384.tif 000007
【図３】
2014109384.tif 000008
【外国語明細書】
2014109384000001.pdf